(57)【特許請求の範囲】
【請求項１】
建物躯体に固定された状態で前記建物躯体に外装材を取り付ける取付金具であって、前記外装材の裏面側上端部に形成された位置決め部に合致する形状を有する位置決め片と、前記位置決め部と位置決め片とが当接した状態で前記外装材の裏面の嵌合部に嵌合する嵌合片とを具備し、前記位置決め部は外装材の裏面の上部端縁をテーパ状に形成したその傾斜面にて形成されると共に、前記位置決め片は金具本体の上端縁からその一面側斜め上方に向けて突出するように形成されることを特徴とする外装材の取付金具。
【請求項２】
上記外装材の裏面に弾性的に嵌合係止する嵌合係止片を具備することを特徴とする請求項１に記載の外装材の取付金具。
【請求項３】
上記嵌合係止片が、外装材の裏面に設けられた嵌合凹部に弾性的に嵌合係止するものであることを特徴とする請求項２に記載の外装材の取付金具。
【請求項４】
建物躯体に固定された請求項１又は２に記載の取付金具に外装材を取り付け、前記外装材の位置決め部と前記取付金具の位置決め片との当接部位を被覆するシーリングを施して成ることを特徴とする外装材の取付構造。
【発明の詳細な説明】
【技術分野】
【０００１】
本発明は、建物躯体に化粧板、幕板等の外装材を取り付けるための取付金具及び前記取付金具による建物躯体への外装材の取付構造に関するものである。
【背景技術】
【０００２】
従来、建物外壁に化粧板、幕板等の外装材２を取り付けるにあたり、取付金具１を介した取り付けが行われている（特許文献１等参照）。
【０００３】
このような取付金具１としては、例えば図４，５に示すものが挙げられる。図４に示すものでは、取付金具１として外装材２の裏面に設けた凸状の嵌合部６と嵌合する嵌合片７を設けたものを用い、建物躯体３に取付金具１を固定した後、前記嵌合片７に外装材２の嵌合部６を嵌合させることで外装材２を取り付けるものである。また、図５に示すものでは、取付金具１として外装材２の裏面に設けた凹部２０を引っかけ係止する係止片２１を設けたものを用い、建物躯体３に取付金具１を固定した後に、前記係止片２１に外装材２の凹部２０を引っかけ係止することで外装材２を取り付けるものである。
【特許文献１】特開２０００−１９９３２５号公報
【発明の開示】
【発明が解決しようとする課題】
【０００４】
しかし、上記従来技術では、作業者が取付金具１の固定と外装材２の取り付けを行う場合には、作業者は固定された取付金具１の手前側から外装材２を前記固定金具に取り付けるため、作業者の視界が外装材２にて遮蔽されて固定金具を視認できない状態のままで、取付金具１の嵌合片７と外装材２の嵌合部６、或いは取付金具１の係止片２０と外装材２の凹部２１とを、位置合わせして取り付けなければならない。このため、外装材２の位置合わせに手間取ることが多く、外装材２の取り付け作業の効率低下の原因となっていた。
【０００５】
本発明は上記の点に鑑みて為されたものであり、建物躯体に取付金具を介して外装材を取り付けるにあたり、取付金具と外装材との位置合わせを容易に行うことができて外装材の取り付け作業の効率を向上することができる外装材の取付金具及びこの取付金具を用いた外装材の取付構造を提供することを目的とするものである。
【課題を解決するための手段】
【０００６】
本発明に係る外装材２の取付金具１は、建物躯体３に固定された状態で前記建物躯体３に外装材２を取り付ける取付金具１であって、前記外装材２の裏面側上端部に形成された位置決め部４に合致する形状を有する位置決め片５と、前記位置決め部４と位置決め片５とが当接した状態で前記外装材２の裏面の嵌合部６と嵌合片７とを具備し、前記位置決め部４は外装材２の裏面の上部端縁をテーパ状に形成したその傾斜面にて形成されると共に、前記位置決め片５は金具本体１０の上端縁からその一面側斜め上方に向けて突出するように形成されることを特徴とするものである。このようにすると、外装材２を取付金具１を介して建物躯体３に取り付ける際に、まず外装材２の位置決め部４を取付金具１の位置決め片５に当接させて位置決めした後に、取付金具１の嵌合片７と外装材２の嵌合部６を位置決めされた状態で嵌合させることで容易に外装材２を取り付けることができる。
【０００７】
この取付金具１は、上記外装材２の裏面に嵌合係止する嵌合係止片９を具備するものであることが好ましい。このようにすると、嵌合係止片９による嵌合係止にて、外装材２をより強固に取り付けることができる。
【０００８】
また、上記嵌合係止片９は、外装材２の裏面に設けられた嵌合凹部８に弾性的に嵌合係止するものであることが好ましい。このようにすると、嵌合係止片９と嵌合凹部８との嵌合係止によってより強固に外装材２を取り付けることができ、また外装材２の取り付けの際には位置決めされた状態で容易に嵌合係止片９を嵌合凹部８に嵌合係止させることができるものである。
【０００９】
また、本発明に係る外装材２の取付構造は、建物躯体３に固定された上記の取付金具１に外装材２を取り付け、前記外装材２の位置決め部４と前記取付金具１の位置決め片５との当接部位を被覆するシーリングを施して成ることを特徴とするものである。このようにすると、外装材２を取付金具１を介して建物躯体３に取り付ける際に、まず外装材２の位置決め部４を取付金具１の位置決め片５に当接させて位置決めした後に、取付金具１の嵌合片７に外装材２の嵌合部６を嵌合させることで容易に外装材２を取り付けることができ、また、シーリングにより外装材２の位置決め片５との間及び位置決め片５と建物躯体３の間の雨水等の浸入を防止することができるだけでなく、位置決め片５を隠蔽して外観を向上することができる。
【発明の効果】
【００１０】
本発明によれば、位置決め片５と位置決め部４とを当接させるだけで取付金具１と外装材２との位置合わせを容易に行うことができ、またこのように位置決めされた状態で外装材２を取付金具１に容易に取り付けることができ、このため外装材２の取り付け作業の効率を向上することができるものである。
【発明を実施するための最良の形態】
【００１１】
以下、本発明を実施するための最良の形態について説明する。
【００１２】
図２に、本発明に係る取付金具１の一例を示す。この取付金具１は一枚のバネ鋼等の板材に打ち抜き、折り曲げ等の加工を施して形成することができる。
【００１３】
図示の例では、金具本体１０は鉛直面に沿った平板状に形成されており、その一面側と他面側とを貫通する固着孔１１が金具本体１０の上部と下部にそれぞれ穿設されている。
【００１４】
この金具本体１０の上端には位置決め片５が設けられている。位置決め片５の形状は後述する外装材２の位置決め部４の形状に合致するように適宜のものとすることができる。図示の例では位置決め片５は取付金具１を形成するための板材の上端を折り曲げ加工することにより形成することができ、このとき金具本体１０の上端縁からその一面側斜め上方に向けて突出するように形成されている。これにより位置決め片５の表面には、金具本体１０の一面と連続すると共にこの一面に対して鈍角に傾斜する当接面１２が形成されている。
【００１５】
また、金具本体１０の上端と下端との間の適宜の位置には、その一面側に向けて嵌合片７が突設されている。この嵌合片７は、後述する外装材２の嵌合部６の形状に合致するように適宜の形状とすることができる。図示の例では嵌合片７は取付金具１を形成するための板材中の適宜の矩形状の領域の周囲のうち略水平方向の辺を残してコ字状に打ち抜き加工を施し、この打ち抜き部分を前記残した一つの辺で折り曲げて一面側に突出させることにより形成することができる。この嵌合片７は上下に間隔をあけて少なくとも一対形成するものであり、図示の例では二対の嵌合片７を水平方向に並べて形成している。また、各嵌合片７は、その先端部を対向する他の嵌合片７とは反対側に向けて屈曲させて略く字状に形成されており、この屈曲部１３において対向する嵌合片７間の間隔が最も小さくなっている。
【００１６】
ここで、このような嵌合片７を設ける場合、対向する二つの嵌合片７を上記のように水平方向に分割せずに設けても良いが、嵌合片７の水平方向寸法が大きくなると後述するように嵌合片７と外装材２の嵌合部６を嵌合させる際に必要とされる押し込み力が大きくなって施工時の作業性が悪くなる一方、この嵌合片７は水平方向に広い領域で外装材２を支持する方が安定した支持を行うことができるため、上記のように二対或いはそれ以上の嵌合片７を間隔をあけて水平方向に並べて設けることで、嵌合片７の水平方向の寸法を低減すると共に嵌合片７により支持される水平方向の領域を広くとって外装材２を安定して支持できるようにすることが好ましい。
【００１７】
また、金具本体１０の下端には、その一面側に向けて嵌合係止片９が突設されている。嵌合係止片９は、後述する外装材２の嵌合凹部８の形状に合致するように適宜の形状とすることができる。図示の例では嵌合係止片９は取付金具１を形成するための板材の下端を折り曲げ加工することにより形成することができる。このとき嵌合係止片９は金具本体１０側の基部から金具本体１０の一面側斜め上方に向けて突出し、その先端部が下方に向けて屈曲する略く字状に設けられ、この屈曲した部分にて弾性係止部１４が形成されている。この嵌合係止片９は上記の嵌合片７と同様に水平方向に分割して形成しても良いが、取付金具１の全体の剛性を十分に確保するためには、図示のように金具本体１０の下端縁の全体に亘り一体に形成することが好ましい。
【００１８】
図３に、上記取付金具１にて取り付けられる化粧板、幕板等の外装材２の一例を示す。外装材２は、例えばセメント系成形材料を成形硬化させるなどして得られる無機質成形体にて形成することができる。この外装材２は平板状に形成されており、その裏面の上端部に位置決め部４が形成されている。図示の位置決め部４は外装材２の裏面の上部端縁をテーパ状に形成したその傾斜面にて形成されており、その傾斜角度は上記取付金具１における位置決め片５の当接面１２の傾斜角度と略同一となっている。
【００１９】
また、この外装材２の裏面には複数の水平方向の凸条１５と凹条１６とが上下に並んで交互に形成されており、このうちの一つの凸条１５が嵌合部６（嵌合凸部）として形成されている。
【００２０】
また、この外装材２では、嵌合部６よりも下方の凹条１６が嵌合凹部８として形成されている。この嵌合凹部８は、上側の内面の奥方付近に、上方に凹入する係止凹部１７が設けられている。
【００２１】
上記の取付金具１における位置決め片５と外装材２における位置決め部４、取付金具１における嵌合片７と外装材２における嵌合部６、取付金具１における嵌合係止片９と外装材２における嵌合凹部８は、それぞれ対応する位置に位置決めされて設けられる。
【００２２】
上記のような取付金具１を用いた外装材２の取付を、図１を示して説明する。
【００２３】
まず、モルタル仕上げ外壁等の建物外壁等といった建物躯体３の外面に、金具本体１０の裏面（上記嵌合片７等が突設されていない側の面）を当接し、ビス等の固着具１９を固着孔１１に挿通すると共に建物躯体３に打入することで取付金具１を建物躯体３に固定する。
【００２４】
次に、図１（ａ）に示すように、この取付金具１の手前側に外装材２を配置し、まず外装材２の位置決め部４を取付金具１における位置決め片５の当接面１２に当接して外装材２を取付金具１に対して位置決めする。これにより位置決めが容易になされる。
【００２５】
次に、図１（ｂ）に示すように、上記のように位置決め部４を位置決め片５に当接させた状態で、外装材２の上記位置決め部４よりも下方の部分を取付金具１側に向けて押し込むことにより、取付金具１の嵌合片７に外装材２の嵌合部６を嵌合させる。このとき、対向する二つの嵌合片７の間に嵌合部６が嵌合することにより、嵌合部６が前記二つの嵌合片７によって弾性的に挟持される。これにより、取付金具１に外装材２が支持されるものである。このとき対向する嵌合片７の屈曲部１３の間の寸法を嵌合部６の上下方向の寸法よりも若干小さく形成することで、嵌合部６に嵌合片７の弾性力による強固な挟持力が作用し、外装材２をより強固に取り付けることができる。
【００２６】
また、同時に取付金具１の嵌合係止片９が外装材２の嵌合凹部８に弾性的に嵌合係止することで、外装材２が取付金具１に対してより強固に取り付けられる。このとき嵌合係止片９は嵌合凹部８の上側の内面に弾性的に当接すると共に嵌合係止片９の弾性係止部１４が嵌合凹部８内の係止凹部１７に係止されることで、嵌合凹部８と嵌合係止片９との嵌合が解除されることが防止され、外装材２が更に強固に取り付けられる。
【００２７】
このようにして外装材２を取り付けた場合、外装材２の上面に外装材２の位置決め部４と取付金具１の位置決め片５との当接部位が配置され、この当接部位において位置決め片５が露出することとなる。そこで、外装材２の取り付け後、前記当接部位をコーキング材１８（三角コーキング）にて被覆するなどしてシーリングすると、外装材２と取付金具１との間や固定金具と建物躯体３との間に雨水等が浸入することを防止することができるだけでなく、位置決め片５を隠蔽することができて、外観を良くすることができ、外装材２を上下に複数並べて取り付けるような場合に上下の外装材２間の継ぎ目に位置決め片５が露出しないようにすることができる。
【００２８】
このように外装材２を取り付けたら、この外装材２の上方において建物躯体３に別の取付金具１を固定し、前記外装材２と隣接するようにこの外装材２とは別の外装材２を前記別の取付金具１を介して建物躯体３に取り付けるようにしても良い。この動作を繰り返すことで、建物躯体３に上下に亘って複数の外装材２を取り付けることができるものである。尚、このように建物躯体３に複数の外装材２を取り付ける場合には、複数の取付金具１を建物躯体３の所定位置に予め固定しておき、この取付金具１に対して外装材２を下側から順に取り付けていっても良い。
【図面の簡単な説明】
【００２９】
【図１】（ａ）及び（ｂ）は本発明の実施の形態の一例を示す断面図である。
【図２】取付金具の一例を示すものであり、（ａ）は平面図、（ｂ）は側面図、（ｃ）は背面図、（ｄ）は底面図である。
【図３】外装材の一例を示す側面図である。
【図４】従来技術の一例を示す断面図である。
【図５】従来技術の他例を示す断面図である。
【符号の説明】
【００３０】
１  取付金具
２  外装材
３  建物躯体
４  位置決め部
５  位置決め片
６  嵌合部
７  嵌合片
８  嵌合凹部
９  嵌合係止片
【図１】
0004602849.tif 000002
【図２】
0004602849.tif 000003
【図３】
0004602849.tif 000004
【図４】
0004602849.tif 000005
【図５】
0004602849.tif 000006